(57)【要約】【課題】長さが異なる複数の金種の紙幣を紙幣プール内に集積および投入させることができるようにする。【解決手段】出金紙幣搬送路３０で搬送された紙幣を受け入れるとき、その紙幣の先端部を紙幣の長さに応じて回動するビルストッパ２２の受止部２２ａで受け止め、紙幣入出金口３から投入された紙幣を受け入れるとき、その紙幣の先端部をビルストッパ２２の底部２２ｂで受け止めるようにした。【選択図】        図２
2008276485.tif 000002
【特許請求の範囲】
【請求項１】
入金する紙幣および出金する紙幣を受け渡すための紙幣入出金口と、その紙幣入出金口から投入された紙幣ならびに出金紙幣搬送路で搬送された紙幣を受け入れる開口部を形成するとともに該紙幣を集積する紙幣プールの底面および側面を形成する紙幣プール壁とを有する紙幣入出金機において、
出金紙幣搬送路で搬送された紙幣の先端部を受け止める受止部が紙幣入出金口から投入された紙幣の先端部を受け止める底部より紙幣プールの開口部側に配置されるように段差を形成し、紙幣プールの底面の近傍に前記底部の一端部を支点として開口部側に付勢された回動自在なビルストッパを設け、
出金紙幣搬送路で搬送された紙幣を受け入れるとき、その紙幣の先端部を紙幣の長さに応じて回動する前記ビルストッパの受止部で受け止め、紙幣入出金口から投入された紙幣を受け入れるとき、その紙幣の先端部を前記ビルストッパの底部で受け止めて長さが異なる紙幣を集積できるようにしたことを特徴とする紙幣入出金機。
【請求項２】
請求項１の紙幣入出金機において、
前記ビルストッパの受止部で受け止めた紙幣の後端部を、回転する舌片で叩き落すようにしたことを特徴とする紙幣入出金機。
【請求項３】
請求項１または請求項２の紙幣入出金機において、
前記紙幣プールの一側面を形成し、前記ビルストッパの底部と自由端部との間を移動自在な紙幣ガイドを設け、
紙幣入出金口から投入された紙幣を受け入れるとき、前記紙幣ガイドを前記ビルストッパの受止部より支点側に移動させて該紙幣を前記ビルストッパの底部へ案内し、出金紙幣搬送路で搬送された紙幣を受け入れるとき、前記紙幣ガイドを前記ビルストッパの受止部より自由端部側に移動させて該紙幣を前記ビルストッパの受止部へ案内するようにしたことを特徴とする紙幣入出金機。
【発明の詳細な説明】
【技術分野】
【０００１】
本発明は、紙幣の入金処理および出金処理を行う紙幣入出金機に関する。
【背景技術】
【０００２】
従来の紙幣入出金機は、紙幣を貯留する空間を有する紙幣プールの開口部が上方になるように回動させて入金する紙幣の投入を受付け、また紙幣プールに集積された紙幣を操作者に受け渡すようにし、一方その紙幣プールを略９０度回動させて開口部が水平方向に位置するようにさせ、投入された紙幣を１枚ずつ分離して入金搬送路へ送り出し、また出金紙幣搬送路から搬送された紙幣を集積させるようにしている（例えば、特許文献１参照）。
【０００３】
また、出金紙幣搬送路から搬送された紙幣を確実に集積させ、また紙幣に傷が付くことを防止するため、紙幣プールにビルストッパを設けている紙幣入出金機もある。
その紙幣入出金機を図７の従来の紙幣入出金機の紙幣入出金部の左側断面の説明図（長い紙幣の集積時）に基づいて説明する。
図７において、１０３は紙幣入出金口であり、自動取引装置等に搭載された紙幣入出金機の紙幣入出金部に設けられた紙幣を投入、または受取るための開口部である。１０７は自動取引装置の筐体である。
【０００４】
１２１ａ、１２１ｂ、１２１ｃは紙幣プール壁であり、側断面が略コ字形の部材で紙幣入出金部に入金または出金する一または複数の紙幣Ｐを一時的に蓄積する空間である紙幣プールを形成している。
１２２はビルストッパであり、出金する紙幣を搬送する出金紙幣搬送路１３０で紙幣プールに（図中矢印Ｆが示す方向に）搬送された紙幣Ｐを受け止めるためのものである。このビルストッパ１２２は支点１２３で回動自在に構成され、弾性部材１２４で出金紙幣搬送路側に付勢されている。このように構成されたビルストッパ１２２で受け止められた紙幣Ｐの後端部は紙幣集積ローラ１３１とともに回転する舌片１３２により叩き落されて紙幣プール内に集積される。
【０００５】
なお、１４１はフィードローラ、１４２はゲートローラであり、紙幣プールに投入された紙幣Ｐや集積された紙幣Ｐを１枚ずつ分離して入金紙幣搬送路１４０へ送り出すためのものである。
また、紙幣プール壁１２１ａ、１２１ｂ、１２１ｃは図示しない駆動手段および駆動伝達手段により紙幣プール支点で回動自在に構成され、出金する紙幣を集積させるときや投入された紙幣を入金するとき、紙幣プールの開口部が図７に示すように出金紙幣搬送路１３０および入金紙幣搬送路１４０側に向くように回動させ、また集積した紙幣を受け渡すときや紙幣の投入を受け付けるときは紙幣プールの開口部が紙幣入出金口１０３側に向くように回動させる。
【０００６】
このように紙幣プールにビルストッパを設けている紙幣入出金機もある。
【特許文献１】特開２００７−４５５４号公報（段落「００１５」〜段落「００２１」、図２）
【発明の開示】
【発明が解決しようとする課題】
【０００７】
しかしながら、上述した従来の技術においては、出金する紙幣を搬送する出金紙幣搬送路１３０で紙幣プールに搬送された紙幣Ｐをビルストッパ１２２で受け止めるようにし、その後端部を舌片１３２で叩き落すようにしているが、その紙幣Ｐの長さが短い場合、ビルストッパ１２２で受け止められた紙幣Ｐの後端部を舌片１３２で叩き落すことができず、後続の紙幣Ｐが衝突し、集積不良が発生してしまうというという問題がある。
【０００８】
このような問題を解決するため、図８に示すようにビルストッパ１２２を出金紙幣搬送路１３０側に傾斜する角度を大きくしてビルストッパ１２２で図中矢印Ｇが示す方向に搬送される紙幣Ｐ受け止め、その紙幣Ｐの後端部を舌片１３２で叩き落すようにすることが考えられるが、このようにした場合、図９に示すように紙幣Ｐの投入を受け付けるとき、傾斜角を大きくしたビルストッパ１２２に当接し、その紙幣Ｐの後端部１６０が紙幣プール内から出てしまい開口部が水平になるように紙幣プールを回動させることができなくなり、長さが異なる複数の金種の紙幣を取り扱うことができないという問題がある。
【０００９】
本発明は、このような問題を解決することを課題とする。
【課題を解決するための手段】
【００１０】
そのため、本発明は、入金する紙幣および出金する紙幣を受け渡すための紙幣入出金口と、その紙幣入出金口から投入された紙幣ならびに出金紙幣搬送路で搬送された紙幣を受け入れる開口部を形成するとともに該紙幣を集積する紙幣プールの底面および側面を形成する紙幣プール壁とを有する紙幣入出金機において、出金紙幣搬送路で搬送された紙幣の先端部を受け止める受止部が紙幣入出金口から投入された紙幣の先端部を受け止める底部より紙幣プールの開口部側に配置されるように段差を形成し、紙幣プールの底面の近傍に前記底部の一端部を支点として開口部側に付勢された回動自在なビルストッパを設け、出金紙幣搬送路で搬送された紙幣を受け入れるとき、その紙幣の先端部を紙幣の長さに応じて回動する前記ビルストッパの受止部で受け止め、紙幣入出金口から投入された紙幣を受け入れるとき、その紙幣の先端部を前記ビルストッパの底部で受け止めて長さが異なる紙幣を集積できるようにしたことを特徴とする。
【発明の効果】
【００１１】
このようにした本発明は、長さが異なる複数の金種の紙幣を紙幣プール内に集積および投入させることができるようになるという効果が得られる。
【発明を実施するための最良の形態】
【００１２】
以下、図面を参照して本発明による紙幣入出金機の実施例を説明する。
【実施例１】
【００１３】
図１は第１の実施例における自動取引装置の外観斜視図である。
図１において、１は自動取引装置であり、銀行等の金融機関の店舗やコンビニエンスストア等の店舗等に設置され、顧客の操作を受け付けて現金の入金や出金等の各種取引を行うものである。
この自動取引装置１には紙幣等の現金の入金処理および出金処理を行う紙幣入出金機２が筐体７の内部に搭載され、また前面に入金する紙幣や出金する紙幣を顧客との間で受け渡すための紙幣入出金口３、カードの挿入を受付け、そのカードを返却するためのカード挿入排出口４、取引内容等を印刷した明細票を発行するための明細票排出口５、および顧客の操作を誘導する画面を表示し、また取引に必要な情報の入力を受け付けるための顧客操作表示盤６を備えている。
【００１４】
図２は第１の実施例における紙幣集積時の紙幣入出金部の左側断面の説明図である。なお、図２の図中右側が紙幣入出金機２の前面側（以下、単に「前面側」という。）であり、図中左側が紙幣入出金機２の後面側（以下、単に「後面側」という。）である。
図２（ａ）において、２１ａ、２１ｂ、２１ｃは紙幣プール壁であり、側断面が略コ字形の部材で紙幣入出金部に入金または出金する一または複数の紙幣Ｐを一時的に蓄積する空間である紙幣プール２５の三側面を形成するとともに紙幣の入出を可能にする開口部を形成している。
【００１５】
この紙幣プール壁２１（２１ａ、２１ｂ、２１ｃ）は図示しない支点、駆動手段、および駆動伝達手段等により、図中時計方向および反時計方向に回動自在に構成され、紙幣を紙幣プール２５へ投入する場合および紙幣プール２５の紙幣を受け取る場合、図３に示すように紙幣プール２５の開口部が紙幣入出金口３と対向する位置（この位置を「紙幣投入受取り位置」という。）に回動させることができ、また紙幣プール２５へ投入された紙幣を繰出して入金する場合および出金する紙幣を紙幣プール２５に集積する場合、図２に示すように紙幣プール２５の開口部が後述する出金紙幣搬送路および入金紙幣搬送路に対向する位置（この位置を「入金紙幣分離位置」または「出金紙幣集積位置」という。）に回動させることができるようになっている。
【００１６】
なお、紙幣プール２５と筐体７の間には図示しない紙幣入出金口シャッタおよび駆動手段が設けられており、開閉自在に構成されている。
２２はビルストッパであり、紙幣入出金口３から投入された紙幣の先端部を受け止め、また後述する出金紙幣搬送路で搬送された紙幣の先端部を受け止めるためのものである。このビルストッパ２２は、紙幣プール２５が出金紙幣集積位置にあるとき出金紙幣搬送路で搬送され、紙幣プール２５内へ送り出された紙幣Ｐを受け止める部位である受止部２２ａ、およびその紙幣プール２５が紙幣投入受取り位置にあるとき紙幣Ｐを貯留する底板を形成する底部２２ｂで構成され、その受止部２２ａは紙幣プール２５の開口部に近い方向に、底部２２ｂはその開口部から離れる方向に段差を有する階段形状、すなわち受止部２２ａが底部２２ｂより開口部側に配置されるように段差を有する階段形状となるように形成されている。
【００１７】
また、ビルストッパ２２は紙幣プール２５の底面の近傍に設けられた支点２３において底部２２ｂの端部を支点とするように回動自在に構成され、弾性部材で形成されたスプリング２４で紙幣プール２５の開口部側に付勢されるとともに図示しない係止部材でその付勢が所定の位置で規制されている。
３０は出金紙幣搬送路であり、ローラやベルト等で構成され、出金する紙幣Ｐを挟持して搬送するものである。
【００１８】
３１は紙幣集積ローラであり、出金紙幣搬送路３０の出口に設けられ、図示しない駆動手段により図中時計方向に回転して出金紙幣搬送路３０で搬送された紙幣Ｐを紙幣プール２５へ送り出すためのものである。
３２は舌片であり、ゴム等の弾性部材で形成されたものである。この舌片３２は紙幣集積ローラ３１の回転軸に設けられ、紙幣集積ローラ３１とともに図中時計方向に回転することで紙幣プール２５へ送り出した紙幣Ｐの後端部を叩き落し、その紙幣Ｐを後続の紙幣に衝突させることなく紙幣プール２５に集積させるためのものである。
【００１９】
４０は入金紙幣搬送路であり、ローラやベルト等で構成され、入金する紙幣Ｐを挟持して機内へ搬送するものである。
４１はフィードローラであり、図示しない繰出しローラにより紙幣プール２５から繰出された紙幣Ｐを入金紙幣搬送路４０へ送り出すためのものである。
４２はゲートローラであり、フィードローラ４１の周面と接触するように配置され、紙幣取込みゲートを形成するものである。このゲートローラ４２は図中反時計方向のみに回転可能に構成され、フィードローラ４１を図示しない駆動手段により図中反時計回りに回転させることで紙幣プール２５の開口部から繰出された紙幣Ｐを１枚ずつ分離して紙幣取り込みゲートから入金紙幣搬送路４０へ搬送することができるようになっている。
【００２０】
このように紙幣プール壁２１、ビルストッパ２２、紙幣プール２５、出金紙幣搬送路３０、紙幣集積ローラ３１、舌片３２、入金紙幣搬送路４０、フィードローラ４１、およびゲートローラ４２等で紙幣入出金機２の紙幣入出金部を構成している。
なお、本実施例では、出金紙幣搬送路３０、および入金紙幣搬送路４０は紙幣Ｐの短手方向に搬送するものとして説明するが長手方向に搬送するものであってもよい。
【００２１】
上述した構成の作用について説明する。
まず、紙幣Ｐの短手方向の長さがＬ１である紙幣を紙幣プールに集積する場合の紙幣入出金部の動作を図２（ａ）に基づいて説明する。なお、図２（ａ）における出金紙幣搬送路３０の出口からスプリング２４で付勢されたビルストッパ２２の受止部２２ａまでの距離は紙幣Ｐの長さＬ１より僅かに長くなるように構成されているものとする。
【００２２】
図２（ａ）に示すように紙幣プール壁２１を図示しない駆動手段により出金紙幣集積位置に回動させる。次に、紙幣集積ローラ３１を図中時計方向に回転させ、出金紙幣搬送路３０で搬送された紙幣Ｐを紙幣プール２５へ送り出す。
紙幣Ｐは図中矢印Ａが示す方向へ送り出され、紙幣Ｐの先端はビルストッパ２２の受止部２２ａに当接するとともに後端が出金紙幣搬送路３０および紙幣集積ローラ３１からはずれ、紙幣プール２５内へ送り出される。
【００２３】
紙幣プール２５へ送り出され、先端がビルストッパ２２の受止部２２ａに当接すると紙幣Ｐの後端部は紙幣集積ローラ３１とともに図中時計方向に回転する舌片３２により叩き落され、後続の紙幣が紙幣プール２５内へ送り出される前に紙幣プール２５内の紙幣プール壁２１ｂ上に集積される。
したがって、長さが異なる複数の金種の紙幣を紙幣プール２５の内部に確実に集積させることができるようになる。
【００２４】
次に、紙幣Ｐの短手方向の長さがＬ１よりも長いＬ２である紙幣を紙幣プールに集積する場合の紙幣入出金部の動作を図２（ｂ）に基づいて説明する。なお、図２（ｂ）においても出金紙幣搬送路３０の出口からスプリング２４で付勢されたビルストッパ２２の受止部２２ａまでの距離は紙幣Ｐの長さＬ１より僅かに長くなるように構成されているものとする。
【００２５】
図２（ｂ）に示すように紙幣プール壁２１を図示しない駆動手段により出金紙幣集積位置に回動させる。次に、紙幣集積ローラ３１を図中時計方向に回転させ、出金紙幣搬送路３０で搬送された紙幣Ｐを紙幣プール２５へ送り出す。
紙幣Ｐは図中矢印Ｂが示す方向へ送り出され、紙幣Ｐの先端はビルストッパ２２の受止部２２ａに当接し、ビルストッパ２２を押圧する。押圧されたビルストッパ２２は紙幣Ｐの後端が出金紙幣搬送路３０および紙幣集積ローラ３１からはずれるまで図中矢印Ｃが示す方向へ回動し、紙幣Ｐは紙幣プール２５内へ送り出される。
【００２６】
紙幣プール２５へ送り出された紙幣Ｐの後端部は紙幣集積ローラ３１とともに図中時計方向に回転する舌片３２により叩き落され、後続の紙幣が紙幣プール２５内へ送り出される前に紙幣プール２５内の紙幣プール壁２１ｂ上に集積される。
このように長さが異なる複数の金種の紙幣を後続の紙幣に衝突させることなく確実に紙幣プール２５に集積することが可能になる。
【００２７】
次に、紙幣Ｐを紙幣プールに投入する場合の紙幣入出金部の動作を図３の第１の実施例における紙幣投入時の紙幣入出金部の左側断面の説明図に基づいて説明する。
図３に示すように紙幣プール壁２１を図示しない駆動手段により紙幣投入受取り位置に回動させ、紙幣入出金口シャッタを開状態にする。
紙幣入出金口シャッタを開状態にすると紙幣Ｐの投入を受付け、紙幣Ｐの先端がビルストッパ２２の底部２２ｂに当接するように投入される。ビルストッパ２２の受止部２２ａと底部２２ｂは階段形状になっているため、紙幣プール２５は紙幣Ｐの投入を受け付けるのに十分な深さを確保している。
【００２８】
したがって、長さが異なる複数の金種の紙幣の投入を受け付けることはできるようになる。
以上説明したように、第１の実施例では、紙幣プール内部に出金搬送路から送り出される紙幣を受け止める受止部および投入される紙幣を受け止める底部を階段形状にしたビルストッパを設けたことにより、長さが異なる複数の金種の紙幣を紙幣プール内に集積および投入させることができるようになるという効果が得られる。
【実施例２】
【００２９】
図４は第２の実施例における紙幣入出金部の左側断面の説明図である。
なお、上述した第１の実施例と同様の部分は、同一の符号を付してその説明を省略する。
図４において、２６は紙幣ガイドであり、略く字状に形成されたものである。この紙幣ガイド２６は第１の実施例の紙幣プール壁２１ａと同様に紙幣プール２５の前面側の一側面を形成し、紙幣入出金口３から投入された紙幣Ｐならびに出金紙幣搬送路３０で搬送された紙幣Ｐを案内するものである。
【００３０】
また、紙幣ガイド２６は図示しない回転角を制御することができるパルスモータ等の駆動手段やギア等の駆動伝達手段等により紙幣プール２５の底面の近傍を図中矢印Ｄが示す方向に摺動自在、すなわちビルストッパ２２の底部２２ｂと自由端部である受止部２２ａの端部との間を移動可能に構成されている。
なお、紙幣ガイド２６は図示しない中央処理演算装置や制御プログラム等の制御手段により、所望の位置へ移動させることができるものとする。
【００３１】
上述した構成の作用について説明する。
まず、紙幣Ｐを紙幣プールに集積する場合の紙幣入出金部の動作を図５に基づいて説明する。
図５に示すように紙幣プール壁２１を図示しない駆動手段により出金紙幣集積位置に回動させるとともに紙幣ガイド２６を紙幣プール壁２１ａに接するように摺動させ、紙幣を集積するための充分な空間を確保する。次に、紙幣集積ローラ３１を図中時計方向に回転させ、出金紙幣搬送路３０で搬送された紙幣Ｐを紙幣プール２５へ送り出す。
【００３２】
紙幣Ｐは図中矢印Ｅが示す方向へ送り出され、紙幣Ｐの先端はビルストッパ２２の受止部２２ａに当接するとともに後端が出金紙幣搬送路３０および紙幣集積ローラ３１からはずれ、紙幣プール２５内へ送り出される。
紙幣プール２５へ送り出され、先端がビルストッパ２２の受止部２２ａに当接すると紙幣Ｐの後端部は紙幣集積ローラ３１とともに図中時計方向に回転する舌片３２により叩き落され、後続の紙幣が紙幣プール２５内へ送り出される前に紙幣プール２５内の紙幣プール壁２１ｂ上に集積される。
【００３３】
次に、紙幣Ｐを紙幣プールに投入する場合の紙幣入出金部の動作を図６に基づいて説明する。
図６に示すように紙幣プール壁２１を図示しない駆動手段により紙幣投入受取り位置に回動させるとともに紙幣ガイド２６をビルプレス２２の受止部２２ａより紙幣入金搬送路４０側に位置するように摺動させ、図示しない紙幣入出金口シャッタを開状態にする。
【００３４】
紙幣入出金口シャッタを開状態にすると紙幣Ｐの投入を受付け、紙幣Ｐの先端が紙幣ガイド２６で案内されてビルストッパ２２の受止部２２ａに当接することなく底部２２ｂに当接するように投入される。また、ビルストッパ２２の受止部２２ａと底部２２ｂは階段形状になっているため、紙幣プール２５は紙幣Ｐの投入を受け付けるのに十分な深さを確保している。
【００３５】
このように紙幣ガイド２６は紙幣入出金口３から投入された紙幣Ｐを受け入れるとき、その紙幣Ｐをビルストッパ２２の底部２２ｂへ案内し、出金紙幣搬送路３０で搬送された紙幣Ｐを受け入れるとき、その紙幣をビルストッパ２２の受止部２２ａへ案内する。
以上説明したように、第２の実施例では、第１の実施例の効果に加え、投入する紙幣を確実に紙幣プール内に案内することができるとういう効果が得られる。
【図面の簡単な説明】
【００３６】
【図１】第１の実施例における自動取引装置の外観斜視図
【図２】第１の実施例における紙幣集積時の紙幣入出金部の左側断面の説明図
【図３】第１の実施例における紙幣投入時の紙幣入出金部の左側断面の説明図
【図４】第２の実施例における紙幣入出金部の左側断面の説明図
【図５】第２の実施例における紙幣集積時の紙幣入出金部の左側断面の説明図
【図６】第２の実施例における紙幣投入時の紙幣入出金部の左側断面の説明図
【図７】従来の紙幣入出金機の紙幣入出金部の左側断面の説明図（長い紙幣の集積時）
【図８】従来の紙幣入出金機の紙幣入出金部の左側断面の説明図（短い紙幣の集積時）
【図９】従来の紙幣入出金機の紙幣入出金部の左側断面の説明図（紙幣投入時）
【符号の説明】
【００３７】
１    自動取引装置
２    紙幣入出金機
３    紙幣入出金口
４    カード挿入排出口
５    明細票排出口
６    顧客操作表示盤
７    筐体
２１（２１ａ、２１ｂ、２１ｃ）  紙幣プール壁
２２  ビルストッパ
２３  支点
２４  スプリング
３０  出金紙幣搬送路
３１  紙幣集積ローラ
３２  舌片
４０  入金紙幣搬送路
４１  フィードローラ
４２  ゲートローラ
【図１】
2008276485.tif 000003
【図２】
2008276485.tif 000004
【図３】
2008276485.tif 000005
【図４】
2008276485.tif 000006
【図５】
2008276485.tif 000007
【図６】
2008276485.tif 000008
【図７】
2008276485.tif 000009
【図８】
2008276485.tif 000010
【図９】
2008276485.tif 000011